【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
車両に設置され、発光する発光領域を有する車両用加飾部品であって、
該車両用加飾部品は、
光を発射する光源と、
長尺状に形成されるとともに、一端部に前記光源が配設されて前記光源からの光を形状に沿った長尺状に出射させる導光体レンズと、を少なくとも有して構成されており、
前記導光体レンズには、光の出射方向と反対側面に凹部が長尺状の形状に沿って形成されており、
前記導光体レンズは車両躯体側の略コ字形状の支持部で支持されており、
前記支持部は、前記導光体レンズの光出射側先端部を前記車両の左右方向で支持しており、
前記凹部の下部には、前記導光体レンズを固定するための爪部が設けられていることを特徴とする車両用加飾部材。
【請求項２】
前記略コ字形状の支持部には前記導光体レンズの底部に当接する第１リブが形成されていることを特徴とする請求項１に記載の車両用加飾部材。
【請求項３】
前記第１リブは導光体レンズの底部から前記車両の左右方向まで屈曲して突出していることを特徴とする請求項２に記載の車両用加飾部材。
【請求項４】
前記第１リブは複数形成されており、複数の前記第１リブの間に前記導光体レンズの上部側に接するように突出する第２リブが形成されていることを特徴とする請求項２又は３に記載の車両用加飾部材。
【請求項５】
前記爪部は、前記第１リブに挟まれて配置されていることを特徴とする請求項２乃至４のいずれか一項に記載の車両用加飾部材。
【請求項６】
車両に設置され、発光する発光領域を有する車両用加飾部品であって、
該車両用加飾部品は、
光を発射する光源と、
長尺状に形成されるとともに、一端部に前記光源が配設されて前記光源からの光を形状に沿った長尺状に出射させる導光体レンズと、を少なくとも有して構成されており、
前記導光体レンズには、光の出射方向と反対側面に凹部が長尺状の形状に沿って形成されており、
前記導光体レンズは車両躯体側の略コ字形状の支持部で支持されており、
前記凹部は、前記導光体レンズの成形時導入口及びゲートカット部を乗員から視認できないよう光路を調整していることを特徴とする車両用加飾部材。
【請求項７】
車両に設置され、発光する発光領域を有する車両用加飾部品であって、
該車両用加飾部品は、
光を発射する光源と、
長尺状に形成されるとともに、一端部に前記光源が配設されて前記光源からの光を形状に沿った長尺状に出射させる導光体レンズと、を少なくとも有して構成されており、
前記導光体レンズには、光の出射方向と反対側面に凹部が長尺状の形状に沿って形成されており、
前記導光体レンズは車両躯体側の略コ字形状の支持部で支持されており、
前記凹部の天面部分には、光拡散部が形成されており、
前記光拡散部は、前記光源から離れる方向に凸となる２個のアール形状を組合わせた波型形状となるように形成されていることを特徴とする車両用加飾部材。
【請求項８】
請求項１乃至７のいずれか一項に記載の車両用加飾部材を備えることを特徴とする車両用内装部品。
【請求項９】
請求項１乃至７のいずれか一項に記載の車両用加飾部材を備えることを特徴とする車両用ドアライニング。
【手続補正２】
【補正対象書類名】明細書
【補正対象項目名】発明の名称
【補正方法】変更
【補正の内容】
【発明の名称】車両用加飾部材、車両用内装部品及び車両用ドアライニング
【手続補正３】
【補正対象書類名】明細書
【補正対象項目名】０００１
【補正方法】変更
【補正の内容】
【０００１】
本発明は、車両用加飾部材に係り、特に、車両内部において意匠性とともに実用性を具備し、商品価値を高めることが可能な車両用加飾部材、車両用内装部品及び車両用ドアライニングに関するものである。
【手続補正４】
【補正対象書類名】明細書
【補正対象項目名】０００７
【補正方法】変更
【補正の内容】
【０００７】
前記課題は、本発明の車両用加飾部材によれば、車両に設置され、発光する発光領域を有する車両用加飾部品であって、該車両用加飾部品は、光を発射する光源と、長尺状に形成されるとともに、一端部に前記光源が配設されて前記光源からの光を形状に沿った長尺状に出射させる導光体レンズと、を少なくとも有して構成されており、前記導光体レンズには、光の出射方向と反対側面に凹部が長尺状の形状に沿って形成されており、前記導光体レンズは車両躯体側の略コ字形状の支持部で支持されており、前記支持部は、前記導光体レンズの光出射側先端部を前記車両の左右方向で支持しており、前記凹部の下部には、前記導光体レンズを固定するための爪部が設けられていることにより解決される。
また、前記略コ字形状の支持部には前記導光体レンズの底部に当接する第１リブが形成されていると好適である。
また、前記第１リブは導光体レンズの底部から前記車両の左右方向まで屈曲して突出していると好適である。
また、前記第１リブは複数形成されており、複数の前記第１リブの間に前記導光体レンズの上部側に接するように突出する第２リブが形成されていると好適である。
また、前記爪部は、前記第１リブに挟まれて配置されていると好適である。
前記課題は、本発明の車両用加飾部材によれば、車両に設置され、発光する発光領域を有する車両用加飾部品であって、該車両用加飾部品は、光を発射する光源と、長尺状に形成されるとともに、一端部に前記光源が配設されて前記光源からの光を形状に沿った長尺状に出射させる導光体レンズと、を少なくとも有して構成されており、前記導光体レンズには、光の出射方向と反対側面に凹部が長尺状の形状に沿って形成されており、前記導光体レンズは車両躯体側の略コ字形状の支持部で支持されており、前記凹部は、前記導光体レンズの成形時導入口及びゲートカット部を乗員から視認できないよう光路を調整していることにより解決される。
前記課題は、本発明の車両用加飾部材によれば、車両に設置され、発光する発光領域を有する車両用加飾部品であって、該車両用加飾部品は、光を発射する光源と、長尺状に形成されるとともに、一端部に前記光源が配設されて前記光源からの光を形状に沿った長尺状に出射させる導光体レンズと、を少なくとも有して構成されており、前記導光体レンズには、光の出射方向と反対側面に凹部が長尺状の形状に沿って形成されており、前記導光体レンズは車両躯体側の略コ字形状の支持部で支持されており、前記凹部の天面部分には、光拡散部が形成されており、前記光拡散部は、前記光源から離れる方向に凸となる２個のアール形状を組合わせた波型形状となるように形成されていることにより解決される。
また、前記課題は、上記の車両用加飾部材を備えることを特徴とする車両用内装部品により解決される。
また、前記課題は、上記の車両用加飾部材を備えることを特徴とする車両用ドアライニングにより解決される。
前記課題は、本発明の車両用加飾部材によれば、車両に設置され、発光する発光領域を有する車両用加飾部品であって、該車両用加飾部品は、光を発射する光源と、長尺状に形成されるとともに、一端部に前記光源が配設されて前記光源からの光を形状に沿った長尺状に出射させる導光体レンズと、を少なくとも有して構成されており、前記導光体レンズには、光の出射方向と反対側面にドーム状の第一凹部が長尺状の形状に沿って形成されており、前記第一凹部のうち、光出射側に配置される部分の少なくとも一部には、粗面に形成された光拡散部が形成されていることにより解決される。
このとき、より好適な具体的構成としては、前記第一凹部の光出射側には、前記第一凹部が伸びる長尺軸と直行する方向の開口幅よりも小さい同方向開口幅となるよう形成されたドーム状の第二凹部が、長尺状の形状に沿って形成されており、前記光拡散部は、前記第二凹部の光出射側の面に形成されているとよい。
【手続補正５】
【補正対象書類名】明細書
【補正対象項目名】０００８
【補正方法】変更
【補正の内容】
【０００８】
このように構成された本願においては、第一凹部の光出射側に光拡散部を設けた。
つまり、光拡散部は、奥まった箇所に形成されるため、組付け時等に光拡散部に人体の一部（指等）や他部品が接触することを有効に回避することが可能となり、組付け作業性が向上するとともに製品品質もまた向上させることができる。
なお、当該構成においては、第一凹部の光出射側に光拡散部を設ける構成であればよく、第一凹部の凹状ドームの内側面（凹状内部底面）に光拡散部が形成された構成や、第一凹部の開口空間よりも一段出射側に奥まった位置にもう一つ第一凹部と連通する第二凹部を設けてその出射側の面に光拡散部を形成する構成、更には、第二凹部の更に一段出射側に奥まった位置に一つ乃至複数の凹部を設けて同様に光拡散部を形成する構成等、本発明の趣旨を逸脱しない範囲において、どのような構成であっても含有するものである。
また、前記第一凹部の光出射側には、前記第一凹部が伸びる長尺軸と直行する方向の開口幅よりも小さい同方向開口幅となるよう形成されたドーム状の第二凹部が少なくとも一つ以上、長尺状の形状に沿って形成されており、前記光拡散部は、前記第二凹部の光出射側の面に形成された構成とすると、より上記作用効果を高く奏することができる。
つまり、当該構成では、第一凹部の開口空間よりも一段出射側に奥まった位置に光拡散部を設けることができる。
このため、組付け時等に光拡散部に人体の一部（指等）や他部品が接触することをより有効に回避することが可能となり、組付け作業性が向上するとともに製品品質もまた向上させることができる。
つまり、光拡散部が第一凹部の開口空間よりも一段出射側に奥まった位置に配置されるため、作業者は特に意識をすることなく、また、特別な治具等を使用することなく、組付時の光拡散部への接触を回避できる。
よって、光拡散部への接触により生じる不具合を防止し、ムラのない発光を実現することができる。
このように、本発明によれば、取付作業が良好となり、光拡散部を保護して、ムラのない良好な発光を実現することができる。
【手続補正６】
【補正対象書類名】明細書
【補正対象項目名】０００９
【補正方法】変更
【補正の内容】
【０００９】
また、具体的には、前記第二凹部の、前記第一凹部が伸びる長尺軸と直行する方向の開口幅は、前記導光体レンズの出射側先端部の同方向幅よりも小さくなるように形成されている。
このように構成されていることにより、第二凹部の間口幅を小さく設定することが可能となり、上記の効果をより一層高く奏することができる。
更に具体的には、前記第一凹部及び前記第二凹部は、前記導光体レンズの出射側先端部の車両躯体支持部よりも、光出射側と反対側に配置されているため、発光性をより良好に保つことができる。
【手続補正７】
【補正対象書類名】明細書
【補正対象項目名】００１０
【補正方法】変更
【補正の内容】
【００１０】
また、前記導光体レンズは、前記光源から離隔するに従って、長尺軸と直交する方向での断面積が小さくなるように構成されていると好適である。
同様に、前記導光体レンズに形成された前記光拡散部は、前記光源から離れるに従って、形成面積が大きくなるように構成されていると好適である。
このように構成されていると、光源から離れるにつれ光量が徐々に小さくなっていっても、均一の発光を保持することが可能となる。
【手続補正８】
【補正対象書類名】明細書
【補正対象項目名】００１１
【補正方法】変更
【補正の内容】
【００１１】
更に、前記光拡散部の粗面は、凹形状を連続形成することにより形成されており、前記光拡散部の凹形状は、前記光拡散部の凹形状は、前記光源に対して凹となるように湾曲する形状に形成されていると好適である。
このように構成されていると、光の拡散を好適に行うことが可能となり、より良好な発光を実現することができる。
特に、波型に形成されていると好適である。
【手続補正９】
【補正対象書類名】明細書
【補正対象項目名】００１２
【補正方法】変更
【補正の内容】
【００１２】
また、前記導光体レンズを前記車両躯体側に固定するための導光体レンズ取付部には、前記導光体レンズの一部を固定するための爪部及びリブが備えられており、前記爪部及び前記リブは、整合する位置にならないよう千鳥配置されていると好適である。
このように構成されていると、応力の逃げ位置と付加位置とを交互に設けることができるため、応力集中を避けて分散させることができる。
よって、取付剛性を維持しつつも、クッションを設けることが可能となる。
【手続補正１０】
【補正対象書類名】明細書
【補正対象項目名】００１３
【補正方法】変更
【補正の内容】
【００１３】
更に、前記導光体レンズの、前記光源からの光入射面である前記光拡散部が形成される面と、光出射面と、は平行とはならないように構成されていると、光路を調整することが可能となり、発光を所望の形態にコントロールすることが可能となるため好適である。
【手続補正１１】
【補正対象書類名】明細書
【補正対象項目名】００１４
【補正方法】変更
【補正の内容】
【００１４】
本発明の車両用加飾部材によれば、奥まった箇所に光拡散部を設けたことにより、組付け時等に光拡散部に人体の一部（指等）や他部品が接触することを有効に回避することが可能となり、取付作業が良好となり、光拡散部を保護して、ムラのない良好な発光を実現することができる。
本発明の車両用加飾部材によれば、第一凹部の開口空間よりも一段出射側に奥まった位置に光拡散部を設けることができるため、組付け時等に光拡散部に人体の一部（指等）や他部品が接触することをより有効に回避することが可能となり、取付作業がより良好となり、光拡散部を保護して、ムラのない良好な発光を実現することができる。
本発明の車両用加飾部材によれば、第二凹部の間口幅を小さく設定することが可能となり、本発明の効果をより一層高めることができる。
本発明の車両用加飾部材によれば、発光性をより良好に保つことができる。
本発明の車両用加飾部材によれば、光源からの距離に拘らず、均一の発光を保持することが可能となる。
本発明の車両用加飾部材によれば、光の拡散を好適に行うことが可能となり、より良好な発光を実現することができる。
本発明の車両用加飾部材によれば、取付剛性を維持しつつも、応力逃げ部によりクッション機能を設けることが可能となる。
本発明の車両用加飾部材によれば、光路を調整することにより、発光を所望の形態にコントロールすることが可能となる。